【誤訳訂正書】
【提出日】平成24年9月27日(2012.9.27)
【誤訳訂正１】
【訂正対象書類名】特許請求の範囲
【訂正対象項目名】全文
【訂正方法】変更
【訂正の内容】
【特許請求の範囲】
【請求項１】
データが格納されるデータ格納部と、
該データ格納部に格納されたデータの読み書きを行うデータ端末機と前記データ格納部とを連結する高速直列バスと、
ユーザの操作により入力された識別キー（ＩＤ）を電気的な信号に変換して、出力するキー入力部と、
該キー入力部による入力識別キーを格納し、かつ識別キーを設定するメモリー部と、
前記キー入力部による前記入力識別キーが印加される時、前記入力識別キーと前記メモリー部に予め設定された識別キーとを比較し、この比較結果に基づいて、前記データ格納部を選択的に駆動させる制御回路部とを備え、
該制御回路部は、
前記比較結果において、両識別キーが一致した場合に装置識別キー一致信号を出力し、両識別キーが不一致の場合に装置識別キー不一致信号を出力する保安プロセス部と、
該保安プロセス部からの前記装置識別キー一致信号が受信された時、前記データ格納部のブート情報セクタおよび／またはファイルシステム情報セクタに正常なファイルシステム情報を書き込み、前記データ格納部を正常駆動させる格納装置制御部と、
前記保安プロセス部により前記装置識別キー一致信号が印加された時、前記高速直列バスと前記データ端末機とが連結状態か解除状態かを検知する高速直列バス制御部とを有し、
前記格納装置制御部は、前記保安プロセス部からの装置識別キー不一致信号が受信された時、または、前記高速直列バス制御部が、前記高速直列バスと前記データ端末機とが前記解除状態であることを検知した時、前記データ格納部の格納セクタをリアルタイムで再配列させて、許可されていないデータ端末機からの前記格納されたデータの読み書きを防止することを特徴とする外付け型データ格納装置の保安システム。
【請求項２】
外付け型データ格納装置の保安システムを制御する方法であって、
前記外付け型データ格納装置の前記保安システムは、前記外付け型データ格納装置において駆動されるものであり、
データの入出力を要請するデータ端末機と連結しているか否かを判断する装置間連結可否判断ステップと、
識別キー（ＩＤ）入力設定モード信号に応じて入力された識別キーと予め設定された識別キーとを比較判断する装置識別キー比較ステップと、
前記比較ステップの比較結果において、両識別キーが一致しない時、または前記データ端末機との連結状態が解除された時に、データが格納されるデータ格納部の格納セクタを再配列して許可されていないデータ端末機からの前記データ格納部に格納されたデータの読み書きを防止し、または、前記データ格納部のブート情報セクタとファイルシステム情報セクタにファイルシステムの正しくない情報を書き込み、前記許可されてないデータ端末機からの前記データ格納部に格納されたデータの読み書きを防止し、それらによってデータの流出を防止するデータ格納部駆動ステップと、を含むことを特徴とする外付け型データ格納装置の制御方法。
【請求項３】
前記データ格納部駆動ステップは、さらに、
入力された識別キーが前記予め設定された識別キーと一致する時、前記データ格納部のブート情報セクタおよび／またはファイルシステム情報セクタに正常なファイルシステム情報を書き込み、かつ前記データ格納部の読み書きを可能にするステップを含むことを特徴とする請求項２に記載の外付け型データ格納装置の制御方法。
【請求項４】
前記データ格納部駆動ステップは、さらに、
前記データ格納部のファイルシステム情報の書き込みモードと前記データ格納部の格納セクタの再配列モードの何れか一つが選択されたことを判断するモード選択判断ステップを含み、
該モード選択判断ステップは、
前記書き込みモードの選択によって前記データ端末機の連結状態が解除される時、前記データ格納部のブート情報セクタおよび／またはファイルシステム情報セクタに前記データ端末機によって認識することのできない情報を格納するステップと、
前記格納セクタの前記再配列モードが選択され、かつ前記入力された識別キーが前記予め設定された識別キーと一致する時、前記データ格納部に格納されたデータの読み書きの間、リアルタイムで格納セクタを再配列させるステップとを含むことを特徴とする請求項２または３に記載の外付け型データ格納装置の制御方法。
【誤訳訂正２】
【訂正対象書類名】明細書
【訂正対象項目名】全文
【訂正方法】変更
【訂正の内容】
【発明の詳細な説明】
【発明の名称】外付け型データ格納装置の保安システム及びその制御方法
【技術分野】
【０００１】
本発明は、外付け型データ格納装置に関し、さらに詳細には、外付け型データ格納装置の保安のために、キー入力部を介して入力される識別キー（ＩＤ）を読み取り、予め登録された識別キーと一致するか否かに応じてデータ格納装置の駆動を行わせることによって、他人によるデータの持ち出し及び損傷を未然に防止し、ユーザのデータが確実に保護できる外付け型データ格納装置の保安システム及びその制御方法に関する。
【背景技術】
【０００２】
一般に使用されている外付け型データ格納装置は、ハードディスクまたはメモリーディスクと、前記ハードディスクとメモリーなどが保管されるケース体と、外付け型データ格納装置とパソコンとを連結するインターフェースと、を含む。
【０００３】
このような外付け型データ格納装置は、構造が簡単且つコンパクトで持ち運びに便利であり、パソコンに連結して直ぐにデータの格納、管理ができるという便利さから、現在広く使用されている。
【０００４】
しかし、前記のように従来の外付け型データ格納装置は、パソコン及びその他のデータの入出力が可能な格納媒体への連結後、キーボードなどの操作によりデータの入出力を簡単に行えるという便利さがあるものの、小型で、誰にでも簡単にデータの入出力が可能になるため、紛失や管理ミスなどにより、他人に格納されたデータが容易に知られるという問題点があった。例えば、従来の外付け型データ格納装置は、筺体内からハードディスクを取り外しパソコン等に取り付けるだけで誰でも前記外付け型データ格納装置内のデータを読み取ることができ、また、悪意を持ったデータ損傷の恐れがあるので、個人情報のセキュリティー性に非常に乏しいという問題点があった。
【発明の概要】
【発明が解決しようとする課題】
【０００５】
本発明者は、前記のような従来技術の問題点を解決するために案出したものであって、 本発明の目的は、それぞれの装置に固有の識別キー（ＩＤｓ）を設定することで、ユーザとして許可されてない他人によるデータの持ち出しまたは損傷等を未然に防止することができる外付け型データ格納装置の保安システム及びその制御方法を提供することにある。
【０００６】
本発明の他の目的は、外付け型データ格納装置からハードディスクが取り外され、他人のコンピュータ等の端末機に取り付けられた場合でも、内部データの流出を防止することができる外付け型データ格納装置の保安システム及びその制御方法を提供することになる。
【課題を解決するための手段】
【０００７】
本発明は、上記目的を達成するために、次のような実施の形態を含む。
本発明の第１の実施の形態は、データが格納されるデータ格納部と、前記データ格納部に格納されたデータの読み書きを行うデータ端末機と前記データ格納部とを連結する高速直列バスと、ユーザの操作により入力された識別キー（ＩＤ）を電気的な信号に変換し出力するキー入力部と、前記キー入力部から入力設定された識別キーが格納されるメモリー部と、前記キー入力部から入力された識別キーが印加されると、前記メモリー部に設定された識別キーと比較して前記データ格納部を駆動させ、正しくない識別キー、または識別キーの入力無しで連結されるデータ端末機の接続時に、前記データ格納部の格納セクタを再配列させる制御回路部と、を含む。
【０００８】
本発明の第２の実施の形態は、第１の実施の形態の前記制御回路部に関し、前記制御回路部は、前記キー入力部を介して印加される識別キーと設定された識別キーとを比較し、一致した場合、装置識別キー一致信号を出力する保安プロセス部と、前記保安プロセス部の装置識別キー一致信号が受信されると、前記データ格納部のブート情報領域とファイルシステム情報領域に正常なファイルシステム情報を書き込み、前記データ格納部を正常駆動させることを特徴とする。
【０００９】
本発明の第３の実施の形態は、第２の実施の形態の前記制御回路部に関し、前記制御回路部は、前記保安プロセス部の装置識別キー一致信号が印加されると、前記高速直列バスと前記データ端末機との連結状態を感知し、解除状態を感知する高速直列バス制御部をさらに含む。
【００１０】
本発明の第４の実施の形態は、第３の実施の形態の前記格納装置制御部に関し、前記格納装置制御部は、前記高速直列バス制御部から前記データ端末機との連結状態が解除され、または前記保安プロセス部から装置識別キー不一致信号が印加されると、前記データ格納部の格納セクタをリアルタイムで再配列させる格納装置制御部を含むことを特徴とする。
【００１１】
本発明の第５の実施の形態は、第３の実施の形態の前記格納装置制御部に関し、
前記格納装置制御部は、前記保安プロセス部の装置識別キー不一致信号または前記高速直列バスの連結解除感知信号が受信されると、前記データ格納部のブート情報領域とファイルシステム情報領域に認識することのできない仮想のデータを書き込むことを特徴とする。
【００１２】
本発明の第６の実施の形態は、外付け型データ格納装置の保安システムを駆動させる方法において、前記外付け型データ格納装置の制御方法は、データの入出力を要請するデータ端末機と連結しているか否かを判断する装置間連結可否判断段階と、識別キー入力設定モード信号に応じて入力された識別キーと設定された識別キーとを比較判断する段階と、識別キーが一致してない、または前記データ端末機との連結状態が解除されると、データが格納されるデータ格納部の格納セクタを再配列し、またはファイルシステムの正しくない情報を書き込み、許可されてないデータ端末機において、前記データ格納部に格納されたデータの読み書きが不可能になり、データの流出を防止することができるデータ格納部の駆動段階と、を含む。
【００１３】
本発明の第７の実施の形態は、第６の実施の形態の前記識別キー比較判断段階に関し、前記識別キー比較判断段階は、入力された信号が、設定された識別キーとの比較のための識別キー入力モードと設定された識別キーを変更するための識別キー変更モードの何れか一つに選択されることを特徴とする。
【００１４】
本発明の第８の実施の形態は、第６の実施の形態の前記データ格納部の駆動段階に関し、前記データ格納部の駆動段階は、入力された識別キーと設定された識別キーとが一致すると、前記データ格納部のブート情報領域とファイルシステム情報領域に正常ファイル情報を書き込み、前記データ格納部の読み書きを可能にする段階をさらに含む。
【００１５】
本発明の第９の実施の形態は、第６の実施の形態の前記データ格納部に関し、前記データ格納部の駆動段階は、前記データ格納部のファイルシステム情報の書き込みモードと格納セクタの再配列モードの何れか一つが選択されることを判断するモード選択判断段階をさらに含む。
【００１６】
本発明の第１０の実施の形態は、第９の実施の形態の前記モード選択判断段階 に関し、前記モード選択判断段階は、前記書き込みモードと選択され、前記データ端末機の連結状態が解除されると、前記データ格納部のブート情報領域とファイルシステム情報領域に前記データ端末機で認識することのできない情報を格納するファイルシステム情報書き込み段階を含むことを特徴とする。
【００１７】
本発明の第１１の実施の形態は、第９の実施の形態の前記モード選択判断段階に関し、前記モード選択判断段階において、前記格納セクタ再配列モードと選択され、入力された識別キーと設定された識別キーとが一致すると、前記データ格納部の書き込み及び読取り駆動時、リアルタイムで格納セクタを再配列させる格納セクタ再配列段階を含む。
【００１８】
本発明の第１２の実施の形態は、第６乃至第１１の実施の形態の何れか一つにおいて、前記識別キー選択モード、前記データ格納部の書き込みモード及び再配列モードの選択段階で設定されたそれぞれのモードと前記データ格納部の駆動状態を前記ディスプレイに出力するメッセージ出力段階をさらに含む。
【発明の効果】
【００１９】
上述したように、本発明による外付け型データ格納装置の保安システム及びその制御方法は、個人の重要な情報が格納された外付け型データ格納装置の紛失及び管理ミスで、他人に個人の重要な情報を知られるようなことを未然に防止することができ、識別キーを入力せず他のデータ端末機に直接取り付ける場合でも保安維持が可能であり、他人によるデータの持ち出しまたは損傷を未然に防止し、ユーザのデータを確実に保護することができる。
【図面の簡単な説明】
【００２０】
【図１】本発明による外付け型データ格納装置制御システムの全体構成を示すブロック図である。
【図２】本発明による外付け型データ格納装置の制御方法を説明するためのフローチャートである。
【発明を実施するための形態】
【００２１】
以下、本発明による外付け型データ格納装置の保安システム及びその制御方法の望ましい実施の形態を添付図面を参照してより詳細に説明する。
【００２２】
図１は、本発明による外付け型データ格納装置の保安システムを示すブロック図である。
【００２３】
図１を参照すると、本発明は、データが格納されるデータ格納装置１０と前記データ格納装置を内側に保管するケース体２０と、ユーザのキーパッド操作に応じて入力信号を出力するキー入力部３０と、前記データ格納装置のデータの入出力を制御する制御回路部４０と、ディスプレイ部５０と、電源を供給するバッテリー６０と、前記データ格納部にデータを転送する高速直列バス７０と、から構成される。
【００２４】
前記データ格納部１０は、ハードディスクまたはメモリーディスクに該当するもので、パソコンまたはその他のデータの入出力が可能な格納媒体（以下、データ端末機）から入力されるデータを格納し、また、前記データ格納部１０へのデータの入出力が可能なデータ端末機の要請に応じてデータを出力する。
【００２５】
前記ケース体（ハウジング）２０の内側には、前記データ格納部１０と前記制御回路部４０とバッテリー６０とが保管され、その外側には、前記データ格納部１０と電気的に連結されるキー入力部３０とディスプレイ部５０とが設けられる。
【００２６】
前記キー入力部３０は、文字または数字からなる入力装置であり、例えば０〜９の数字キーを含み、ユーザの操作に応じてキーのそれぞれに設定された電気信号を出力する。これにより、前記キー入力部３０はユーザの操作に応じて様々な入力信号を出力することができ、例えばユーザが初回に設定登録する識別キー（ＩＤ）を入力し、または識別キーを変更するための識別キー変更モード選択信号と、データ格納部がデータ端末機に直接取り付けられた場合、前記データ格納部１０に格納されたデータの読み書きを防止するための保安モード選択信号と、を含むことが望ましい。
【００２７】
ここで、前記キー入力部３０は、前記データ端末機が前記データ格納部１０に格納されたデータを要請すると、前記データ格納部１０の駆動モードを選択することができる。これを図１及び図２のフローチャートを参照して説明する。
前記制御回路部４０は、前記高速直列バス７０を介して送受信されるデータの入出力を制御する高速直列バス制御部４１と、キー入力信号と設定された識別キーとを比較し、一致した場合、前記データ格納部１０のデータの入出力を許可する保安プロセス部４２と、前記データ格納部１０の駆動を制御する格納装置制御部４３と、設定された識別キーが格納されるメモリー部４４と、から構成される。
【００２８】
前記メモリー部４４は、前記キー入力部３０から入力された識別キーとデータ格納部１０のブート情報領域とファイルシステム情報領域を登録管理し、前記キー入力部３０の識別キー変更モード選択信号に応じて入力される新規識別キーを登録する。
【００２９】
前記高速直列バス制御部４１は、前記高速直列バス７０の状態を感知して前記外付け型データ格納装置とデータ端末機８０が連結しているか否かを判断し、連結が解除されたことを感知した場合、前記保安プロセス部４２に連結解除感知信号を出力して前記保安プロセス部４２の制御信号に応じて前記データ格納部１０のデータの入出力を遮断させる。
【００３０】
前記保安プロセス部４２は、前記キー入力部３０を介して入力された識別キーが予め登録された識別キーと一致するか否かを比較し判断する。ここで、前記保安プロセス部４２は、前記キー入力部３０を介して識別キー入力モードか識別キー変更モードかを判断し、識別キー入力モードの場合、前記キー入力部３０を介して入力された識別キーと前記メモリー部４４に設定された識別キーとを比較し、一致した場合、装置識別キー一致信号を出力する。
【００３１】
ここで、前記保安プロセス部４２は上述したように、前記キー入力部３０の保安モード選択信号に応じて前記格納装置制御部４３に前記データ格納部１０の駆動命令信号を出力する。また前記保安プロセス部４２は、識別キーが一致した場合、前記高速直列バス制御部４１に前記高速直列バス７０の連結状態感知信号を出力する。
【００３２】
従って、前記キー入力部３０からデータ格納部１０のファイルシステム書き込みモード（以下、第１モードと略称する）が選択された場合、前記格納装置制御部４３に前記データ格納部１０のファイルシステム情報を書き込むよう第１モード選択信号を印加する。また、前記キー入力部３０から前記データ格納部１０の格納セクタ再配列モード（以下、第２モードと略称する）が選択された場合は、前記データ格納部１０の格納セクタを再配列するよう第２モード選択信号を出力する。
【００３３】
前記格納装置制御部４３は、前記保安プロセス部４２から装置識別キー一致信号が出力されると、前記データ格納部１０のブート情報領域とファイルシステム情報領域に正常なファイルシステム情報を書き込み、前記高速直列バス７０を介して前記データ端末機８０で前記データ格納部１０に格納されたデータの読み書きができるよう前記データ格納部１０を正常駆動させる。
【００３４】
以後、前記格納装置制御部４３は、前記高速直列バス制御部４１から前記データ端末機８０との連結解除感知信号が印加されると、前記保安プロセス部４２から設定された第１または第２のモード選択信号に応じて正しい識別キーを入力し、前記データ格納部１０への接続が許可されたデータ端末機以外の他の端末機に前記データ格納部１０に格納されたデータが流出しないよう制御する。
【００３５】
即ち、前記データ格納部１０が前記外付け型データ格納装置から取り外され、接続が許可されてないデータ端末機に取り付けられて、内部に格納されたデータが読み取られないよう、前記第１及び第２のモードで前記データ格納部１０に格納されたデータの流出を防止する。
【００３６】
従って、前記格納装置制御部４３は、第１モードの選択時、前記データ格納部１０のブート情報領域とファイルシステム情報領域において、データ端末機（例えば、ウィンドウズ（登録商標）を基盤としたコンピュータ）で読み取られないフォーマットで前記ブート情報領域とファイルシステム情報領域へ正しくない情報を書き込むことで、前記データ格納部１０を取り外し、他の端末機に取り付け、識別キーを入力せずに使用することを防止する。
【００３７】
また前記格納装置制御部４３は、前記第２モードの選択時において、前記データ格納部１０の格納セクタをリアルタイムで再配列させ、その位置信号を出力することで、正常的に一致した識別キーを入力したデータ端末機８０へのデータ格納部１０の接続を可能にする。
【００３８】
即ち、前記格納装置制御部４３は、前記データ格納部１０が正常駆動すると、まず格納セクタを再配列し、その位置信号を出力する。従って、前記データ端末機８０は、前記格納装置制御部４３から再配列された格納セクタの位置を認知し、該当セクタを読み取る。前記格納装置制御部４３は、これをリアルタイムで行う。
【００３９】
よって、前記データ格納部１０が取り外され、前記データ端末機８０に直接連結された場合、前記格納装置制御部４３から変更された格納セクタの位置を通知されることができなくなり、前記データ格納部１０に格納されたデータの読み書きが不可能になる。
【００４０】
前記ディスプレイ部５０は、前記高速直列バス制御部４１、保安プロセス部４２、格納装置制御部４３、メモリー部４４から伝達されたメッセージを出力し、現在の高速直列バス７０との連結状態及び識別キーの入力モードまたは変更モード、第1モード及び第２モードの選択有無を出力する。
【００４１】
前記バッテリー６０は、別途の外部電源を使用せずに、データ格納装置１０及び制御回路部４０を独立的に駆動できる電源を供給する。前記バッテリー６０は、前記データ端末機と連結された時、高速直列バス７０を介して前記データ端末機８０から電源を供給し充電される。
【００４２】
前記高速直列バス７０は、前記外付け型データ格納装置と前記データ端末機とのデータの送受信を行い、望ましくは、ＵＳＢ、ＩＥＥＥ１３９４、ＳＡＴＡを含む。
【００４３】
以下、本発明による外付け型データ格納装置の保安システムの作用について、図２のプローチャートを参考して詳細に説明する。
【００４４】
図２は、本発明による外付け型データ格納装置の制御方法を説明するためのフローチャートである。
【００４５】
図２を参照すると、本発明による外付け型データ格納装置の制御方法は、前記外付け型データ格納装置とデータ端末機８０との連結状態を感知する連結状態感知段階Ｓ１０１と、キー入力部３０が待ち状態であるキー入力部待ち段階Ｓ１０２と、前記データ端末機８０が連結してない場合、前記キー入力部３０をロック状態に保持するキー入力部ロック段階Ｓ１０３と、前記キー入力部待ち状態において、識別キー入力モードの選択か識別キー変更モードの選択かを判断するキー入力部モード選択段階Ｓ１０４と、前記モード選択段階Ｓ１０４において、識別キー入力モードが選択された場合、入力された識別キーと設定された識別キーとを比較する識別キー比較段階Ｓ１０８と、前記モード選択段階Ｓ１０４において、前記識別キー変更モードが選択された場合、入力された識別キーを再登録する識別キー書換え段階Ｓ１０６、Ｓ１１１と、前記識別キー比較段階Ｓ１０８において、識別キーが一致した場合、前記データ格納部１０が駆動されるデータ格納部１０の駆動段階Ｓ２０１〜Ｓ２０６と、を含む。
【００４６】
前記連結状態感知段階Ｓ１０１は、前記制御回路部４０において、前記高速直列バス７０が前記データ端末機の入力端子に連結されているか否かを判断する段階である。前記制御回路部４０は、前記高速直列バス７０が前記データ端末機８０に連結された場合、前記キー入力部３０をオンし、待ち状態モードに切り替える。
【００４７】
前記キー入力部待ち段階Ｓ１０２は、前記キー入力部３０が前記制御回路部４０の制御に応じて前記バッテリー６０から出力された電源によりオンされ、それ自体に含まれるキーボードによる入力信号に応じて駆動するための待ち状態になる段階である。
【００４８】
前記キー入力部ロック段階Ｓ１０３は、前記制御回路部４０において、前記高速直列バス７０の前記データ端末機への連結が感知されてない状態であり、前記バッテリー６０から出力された電源が印加されてないオフ状態の段階である。
【００４９】
前記キー入力部のモード選択段階Ｓ１０４は、前記制御回路部４０において、ユーザが前記キー入力部３０のキーボードを介して識別キー入力モードと識別キー変更モードの何れかを選択すると、前記キー入力部３０から印加されるモード選択信号が前記識別キー入力モード選択信号か識別キー変更モード選択信号かを判断する段階である。
【００５０】
前記識別キー書換え段階Ｓ１１１は、前記制御回路部４０において、前記モード選択信号が識別キー変更モード選択信号の場合、前記メモリー部４４に予め設定された識別キーに新しく入力される入力信号を上書きすることで、識別キーを書換え登録する段階である。
【００５１】
前記識別キー比較判断段階Ｓ１０８は、前記制御回路部４０において、前記キー入力部から印加されるモード選択信号が識別キー入力モード選択信号の場合、印加される入力信号と前記メモリー部４４に予め設定された識別キーと比較し、前記データ格納部１０に前記データ端末機への接続を許可するか否かを判断する段階である。
【００５２】
前記ディスプレイ部５０は、前記制御回路部４０の制御に応じて前記キー入力部の選択モード及び下記のデータ格納部１０の保安モードと前記キー入力部３０を介して選択及び入力される命令語を表示することが望ましい。
【００５３】
前記データ格納部の駆動段階Ｓ２０１〜Ｓ２０６は、前記識別キー比較判断段階Ｓ１０８において、識別キーが一致した場合、前記制御回路部４０の保安プロセス部４２から装置識別キー一致信号が出力され、前記格納装置制御部４３において、前記データ端末機８０へ接続し前記データ格納部に格納されたデータの読み書きが許可される段階である。
【００５４】
また、前記データ格納部の駆動段階Ｓ２０１〜Ｓ２０６は、前記データ端末機との接続が解除されたことを感知し、前記データ格納部１０に格納されたデータの流出を防ぐために第１及び第２の保安モードで前記データ格納部１０を制御する段階である。
【００５５】
より詳しく説明すると、一般の外付け型データ格納装置は、データ格納部１０が筺体に保管され、前記のような高速直列バス７０を介して前記データ端末機の入力端子（例えば、ＵＳＢ）に連結され使用される。しかし、このようなデータ端末機と前記外付け型データ格納装置は、高速直列バス７０による連結のみならず、前記外付け型データ格納装置から前記データ格納部１０を取り外し、前記データ端末機のハードウェアに直接連結して使用することも可能である。従って、本発明は、識別キーを設定し、データ端末機との連結時において、許可されているユーザのデータ端末機と接続を行い、また、許可されてないユーザがデータ格納部１０を取り外し、前記データ端末機８０に直接取り付けて使用することを防止するために、データ格納部１０の格納セクタまたはファイルシステム情報を再配列し、データの流出を防止している。
【００５６】
従って、前記データ格納部の駆動段階Ｓ２０１〜Ｓ２０６は、前記識別キー比較判断段階Ｓ１０８において、前記識別キーが一致した場合、前記保安プロセス部４２は、前記メモリー部４４に設定された保安モードを読み出し、第１モード（ファイルシステム書き込みモード）か第２モード（格納セクタ再配列モード）かを判断する保安モード選択段階Ｓ２０１と、前記保安モード選択段階において、第１モードが選択された場合、前記データ格納部１０のファイルシステム情報を正常情報と書き込み、正常駆動させる第１モード正常駆動段階Ｓ２０２と、前記データ端末機との連結状態が解除されるか否かを判断する第１モード連結解除段階Ｓ２０３と、前記データ端末機との連結状態が解除された場合、前記データ格納部１０のファイルシステム情報を認識することのできない任意の情報として書き込み、データ格納部１０を遮断するファイルシステム情報書き込み段階Ｓ２０４と、前記第２モードが選択された場合、正常駆動される第２モード正常駆動段階Ｓ２０５と、前記データ格納部の正常駆動中、前記データ格納部１０の格納セクタ領域をリアルタイムで再配列する格納セクタ再配列段階Ｓ２０６と、を含む。
【００５７】
前記モード選択段階Ｓ２０１は、前記キー入力部３０を介して前記保安プロセス部４２から入力されるモード選択信号、または前記メモリー部４４に設定されたモード選択情報に基づいて第1モードか第２モードかを判断する。
【００５８】
前記第1モード正常駆動段階Ｓ２０２は、前記モード選択段階Ｓ２０１において、前記保安プロセス部４２が第1モード選択信号を出力すると、前記格納装置制御部４３が前記データ格納部１０のブート情報領域とファイルシステム情報領域に正常情報、例えばウィンドウズ（登録商標）を基盤としたコンピュータで認識できるフォーマットのデータを書き込み、前記データ端末機で前記データ格納部１０に格納されたデータが認識できるようにして、前記データ端末機と前記データ格納部１０の接続を許可する段階である。
【００５９】
前記第１モード連結解除感知段階Ｓ２０３は、前記高速直列バス制御部４１から前記保安プロセス部４２の装置識別キー一致信号が印加されると、前記高速直列バス７０のデータ端末機との連結状態を感知し、前記格納装置制御部４３にその感知信号を出力する段階である。従って、前記格納装置制御部４３は、前記高速直列バス制御部４１から前記データ端末機８０と前記高速直列バス７０との連結状態解除が感知されると、以下のファイルシステム情報書き込み段階を行う。
【００６０】
前記ファイルシステム情報書き込み段階Ｓ２０４は、前記格納装置制御部４３から前記高速直列バス制御部４１の前記高速直列バス７０の連結解除感知信号が印加されると、前記データ格納部１０のブート情報領域とファイルシステム情報領域へデータ端末機８０で認識することのできない任意のファイル情報を書き込むことで、識別キーが入力されなく接続が許可されてないデータ端末機８０へのデータの流出が遮断される。従って、許可されてないユーザが前記データ格納部１０を取り外し、自分のデータ端末機８０に取り付け、識別キーを入力せずに使用しようとしても、前記許可されてないユーザのデータ端末機８０は、前記のようなファイルシステム情報領域の正しくないファイル情報の書き込みによって前記データ格納部１０に格納されたデータを認識することができなくなる。
【００６１】
前記第２モード駆動段階Ｓ２０５は、前記保安モード選択段階において、前記保安プロセス部４２から第２モード選択信号と装置識別キー一致信号が印加されると、前記格納装置制御部４３の制御に従って、前記データ格納部１０と前記データ端末機とのデータの入出力が行われる段階である。
【００６２】
ここで、前記第２モード正常駆動段階Ｓ２０５は、前記第1モード正常駆動段階Ｓ２０２と同様、前記データ格納部１０のブート情報領域とファイルシステム情報領域に正常情報を書き込み、前記データ格納部１０に格納されたデータが前記データ端末機で認識されるようにすることも可能である。また、前記のようなデータ格納部１０にファイルシステム情報を書き込まず、前記高速直列バス７０の開放によって前記データ端末機の接続を許可することも可能である。これは、ユーザの応用によって様々な実施例が適用できる。
【００６３】
前記格納セクタ再配列段階Ｓ２０６は、前記第２モード正常駆動段階Ｓ２０５が開始されると、前記格納装置制御部４３は、格納セクタ領域をリアルタイムで再配列させ、その変更された位置を前記データ端末機に送信し、一致した識別キーを入力したデータ端末機で前記データ格納部に格納されたデータの読み書きが行われるようにする段階である。
【００６４】
即ち、前記データ端末機８０は、前記データ格納部１０に格納されたデータの読み書きに当たって、前記データ格納部１０のセクタの指定が必要となり、前記格納装置制御部によりリアルタイムで再配列され送信される変更されたセクタの位置信号を受信し、該当セクタの位置を認知することで、前記データ格納部１０に格納されたデータの読み書きが可能になる。
【００６５】
しかし、例えば前記格納セクタ再配列段階Ｓ２０６において、前記データ格納部１０を取り外し、前記データ端末機８０の内部に直接連結した場合、前記格納装置制御部４３と前記データ格納部１０との連結関係が遮断され、前記格納セクタの再配列された位置が通知できなくなる。従って、前記のように非正常的な方法で接続されるデータ端末機８０では、前記データ格納部１０に格納されたデータの読み書きが不可能になる。
【符号の説明】
【００６６】
１０  データ格納部
２０  ケース体
３０  キー入力部
４０  制御回路部
４１  高速直列バス制御部
４２  保安プロセス部
４３  格納装置制御部
４４  メモリー部
５０  ディスプレイ部
６０  バッテリー
７０  高速直列バス
８０  データ端末機